(57)【要約】【課題】  メモ用紙等をマグネットで壁面に吸着させて挟持するマグネットホルダーにおいて、メモ用紙を取り外す際に、片手でメモ用紙のみを引っ張って取り外しても、マグネットホルダーが脱落しないマグネットホルダーを提供する。【解決手段】  メモ用紙をマグネットで壁面に吸着させて挟持するマグネットホルダーにおいて、マグネットホルダーの本体部材に空間部を設け、マグネットが同空間部内で重力によりマグネットホルダー本体の水平中心より下方位置に自由に移動できるようにしたこと。【選択図】図３
2008080778.tif 000002
【特許請求の範囲】
【請求項１】
メモ用紙をマグネットで壁面に吸着させて挟持するマグネットホルダーにおいて、マグネットホルダーの本体部材に空間部を設け、マグネットが同空間部内で重力によりマグネットホルダー本体の水平中心より下方位置に自由に移動できるようにしたことを特徴とするマグネットホルダー。
【請求項２】
メモ用紙をマグネットで壁面に吸着させて挟持するマグネットホルダーにおいて、マグネットが重力によりマグネットホルダー本体の水平中心より下方位置に自由に移動できるようにマグネットホルダー本体に枢支したことを特徴とするマグネットホルダー。
【発明の詳細な説明】
【技術分野】
【０００１】  本発明はメモ用紙をマグネットで壁面に吸着させて挟持すると共に、挟持されたメモ用紙を取り外す際に、片手でメモ用紙を取り外すことが出来るマグネットホルダーに関するものである。
【背景技術】
【０００２】  従来公知のマグネットホルダーとして、図９、１０、１１に示されるようなマグネットホルダー本体のほぼ中心位置にマグネットを固定して配置されたマグネットホルダーがある。【０００３】  然しながら、このようなマグネットホルダー本体ａのほぼ中心位置にマグネットｂを固定して配置されたマグネットホルダーにあっては、単にマグネットｂの吸着によりメモ用紙ｃを挟持して壁面ｄに保持するだけのものであったため、後述する理由によりメモ用紙を取り外す際には、マグネットホルダーが脱落しないように、片手でマグネットホルダーを保持した上で、もう片方の手でモ用紙を取り外す必要があるという問題点があった。【０００４】  即ち、メモ用紙ｃを取り外す際には、メモ用紙ｃを壁面ｄに対して手前方向に引いた場合、Ｂ２点を支点としてＣ２点にマグネットｂを外す力が働くが、Ｂ２点からＣ２点までの距離Ｌ２が短いため、テコの作用によってマグネットｂを外す力は、マグネットｂの吸着力Ｄ２より小さく、マグネットホルダーは壁面ｄから離れて脱落するもので、従来のマグネットホルダーでは、片手でメモ用紙ｃのみを壁面ｂに対して手前方向に引くことにより、マグネットホルダーが脱落するため、マグネットホルダーが脱落しないように、片手でマグネットホルダーを保持した上で、もう片方の手でモ用紙を取り外す必要があるという問題点があった。【０００５】  このような問題点を解消するものとして、例えば、特開２００１−１１３８７０号公報、特開２００３−２３７２７１号公報には、マグネットホルダーが脱落することなく、片手でメモ用紙を取り外せるマグネットホルダーが開示されている（特許文献１、２）。
【特許文献１】  特開２００１−１１３８７０号公報
【特許文献２】  特開２００３−２３７２７１号公報
【発明の開示】
【発明が解決しようとする課題】
【０００６】  然しながら、前記特許文献１のマグネットホルダーは２個のマグネットを有し、メモ用紙を壁面に挟持する際には、夫々のマグネットを壁面とメモ用紙に吸着させるために、メモ用紙に対してマグネットホルダーの位置や方向を合わせる必要があった。【０００７】  また、前記特許文献２のマグネットホルダーはマグネットとローラーを有し、メモ用紙を壁面に挟持する際には、メモ用紙に対してマグネットホルダーをローラーの転動方向に合わせる必要があり、また、ローラー部品などがコストアップの要因となっていた。【０００８】  本発明は、上記の課題に鑑み、メモ用紙を壁面に挟持する際に、メモ用紙に対してマグネットホルダーの位置や方向を合わせる必要がなく、また、メモ用紙を取り外す際には、マグネットホルダーが脱落することなく、片手でメモ用紙を容易に取り外せることができ、、さらに、ローラー等の部品がなく１個のマグネットで安価に製造が出来るマグネットホルダーを提供することを目的とする。
【課題を解決するための手段】
【０００９】  本発明の請求項１に係るマグネットホルダーは、メモ用紙をマグネットで壁面に吸着させて挟持するマグネットホルダーにおいて、マグネットホルダーの本体部材に空間部を設け、マグネットが同空間部内で重力によりマグネットホルダー本体の水平中心より下方位置に自由に移動できるようにしたことを特徴とするものである。【００１０】  本発明の請求項２に係るマグネットホルダーは、メモ用紙をマグネットで壁面に吸着させて挟持するマグネットホルダーにおいて、マグネットが重力によりマグネットホルダー本体の水平中心より下方位置に自由に移動できるようにマグネットホルダー本体に枢支したことを特徴とするものである。
【発明の作用】
【００１１】  本発明の請求項１、２のマグネットホルダーによれば、メモ用紙を壁面とマグネットとの間で挟持しているときには、常にマグネットはマグネットホルダーの水平中心より下方に位置しているので、片手でメモ用紙を手前に引いてもマグネットホルダーは壁面に吸着された侭となって脱落しない。
【発明を実施するための最良の形態】
【００１２】  次に、本発明を実施するための最良の形態について、図を参照しつつ説明する。
【実施例１】  図１は、本発明の請求項１に係るマグネットホルダーの正面図、図２は、同側面断面図、図３は、同マグネットホルダーでメモ用紙を取り付けた状態を表す図、図４は、同マグネットホルダーでメモ用紙を取り外す際の力関係を表す図、図５は、同マグネットホルダーでメモ用紙を取り外す際の状態を表す図である。【００１３】  図において、１は、本発明の請求項１に係るマグネットホルダーで、前部カバー２、後部カバー３、及びマグネット４から構成され、前部カバー２は略円形状で外周が背面方向に湾曲し、背面は後部カバー３の外周が嵌合する凹形状に形成されている。後部カバー３は断面が凹形状に形成され、前部カバー２の背面の凹部内周に後面カバー３の外周を嵌着して空間部５を設けてある。【００１４】  空間部５には空間部５の側面の断面幅より僅かに狭い幅で、空間部５の側面の断面積に対して、約１／２以下の面積の略円形状のマグネット４を配置し、マグネット４は空間部５で重力により移動可能な状態とする。【００１５】  マグネットホルダー１でメモ用紙６を取り付ける際は、図３のようにマグネット４が吸着可能な壁面７に対して、メモ用紙６を壁面７とマグネットホルダー１で挟持してメモ用紙６を壁面７に取り付ける。【００１６】  この時、内部のマグネット４は重力により空間部５の下方向（矢印）に移動し、マグネットホルダー１の水平中心８より下方向の位置で、マグネトホルダー１は壁面７に吸着してメモ用紙６が固定される。【００１７】  図４の本発明のマグネットホルダー１でメモ用紙６を取り外す際の力関係を表す状態図では、メモ用紙６を壁面７に対して手前方向に引いた場合、Ｂ１点を支点としてＣ１点にマグネット４を外す力が働くが、Ｂ１点からＣ１点までの距離Ｌ１が長いため、テコの作用によってマグネット４を外す力は、マグネット４の吸着力Ｄ１より小さく、マグネットホルダー１は壁面７に吸着した状態で上方向に移動する。【００１８】  以上のような力関係により、本発明のマグネットホルダー１では、図５のように片手でメモ用紙６のみを壁面７に対して手前方向に引くことにより、マグネットホルダー１は壁面７に吸着したまま上方向（矢印）に移動し、マグネットホルダー１は壁面７に吸着したまま外れることなく、片手でメモ用紙６を取り外すことが出来る。
【実施例２】
【００１９】  図６は、本発明の請求項２に係るマグネットホルダーの背面図、図７は、同側面断面図、図８は、他の実施例を表すもので、図６、７のマグネットホルダーに擁壁を形成した状態の側面断面図である。【００２０】  本発明に係る他の実施形態のマグネットホルダー１は、本体部材９、マグネットケース１０及びマグネット４から構成され、本体部材９は略円形状で外周が背面方向に湾曲し、背面の中心にはマグネットケース１０を保持するための保持ピン１１が突出している。【００２１】  マグネットケース１０にはマグネットケース１０より背面方向に僅かに突出した略円形状のマグネット４が収納され、マグネットケース１０の中心から偏芯した位置で保持ピン１１により、回転自在に保持されている。【００２２】  マグネットホルダー１でメモ用紙６を取り付ける際は、マグネットケース１０が重力により、保持ピン１１を支持軸として回転移動し、マグネットホルダー１の水平中心８より下方向の位置で、マグネトホルダー１は壁面７に吸着してメモ用紙６が固定される。【００２３】  メモ用紙６を取り外す際は、前記実施例１の実施形態と同様に、図５のように片手でメモ用紙６のみを壁面７に対して手前方向に引くことにより、マグネットホルダー１は壁面７に吸着したまま上方向（矢印方向）に移動し、マグネットホルダー１は壁面７に吸着したまま外れることなく、片手でメモ用紙６を取り外すことが出来る。【００２４】  また、図６、７の状態ではマグネットホルダー１を壁面に吸着させた状態で壁面側に押し付けると、ピン１１に軸芯方向に対して直角方向の応力が掛かりピン１１が劣化することがあるので、これを防ぐためには図８のように円筒状の擁壁１２を形成しておけばよいものである。【００２５】  図６、７、８の請求項２に係るマグネットホルダーは、マグネット４が直接壁面に吸着するので、請求項１に係るマグネットホルダーよりも吸着力は若干強くなるが、枢支部を設ける必要があるため、製造コストの面から請求項１に係るマグネットホルダーの方が実用上好ましい。【００２６】  以上のように本発明のマグネットホルダーはマグネットが１個で構成されているため、従来のマグネットが２個で構成されているマグネットホルダーのように、メモ用紙を壁面に挟持する際に、夫々のマグネットを壁面とメモ用紙に吸着させるために、メモ用紙に対してマグネットホルダーの位置や方向を合わせる必要がなく、またマグネットの数が少ないため製造コストも低減することが出来る。【００２７】  また、本発明のマグネットホルダーは壁面に吸着させる際に、マグネットホルダーの方向に関係なく、マグネットが重力により水平中心より下方向に移動するため、従来のローラーを有するマグネットホルダーのように、メモ用紙を壁面に挟持する際に、ローラーの方向を合わせる必要がなく、またローラー部品等も不要となり製造コストを低減することが出来る。【００２８】  上記実施形態ではマグネット４がマグネットホルダー１の水平中心８より下方位置に移動する手段を、マグネット４をマグネットホルダー１の空間部５に配置する方法や、マグネットホルダー１の保持ピン１１によりマグネット４が回転移動する方法としたが、マグネット４がマグネットホル���ー１の水平中心８より下方位置に移動する手段であればいかなる方法でもよい。
【発明の効果】
【００２９】  本発明によれば、メモ用紙を壁面に挟持する際に、メモ用紙に対してマグネットホルダーの位置や方向を合わせる必要がなく、また、メモ用紙を取り外す際には、マグネットホルダーが脱落することなく、片手でメモ用紙を容易に取り外せることができ、さらに、ローラー等の部品がなく１個のマグネットで安価に製造が出来るものである。
【図面の簡単な説明】
【００３０】
【図１】  本発明の実施形態に係るマグネットホルダーの正面図である。
【図２】  本発明の実施形態に係るマグネットホルダーの側面断面図である。
【図３】  同マグネットホルダーでメモ用紙を取り付けた状態を表す図である。
【図４】  同マグネットホルダーでメモ用紙を取り外す際の力関係を表す図である。
【図５】  同マグネットホルダーでメモ用紙を取り外す際の状態を表す図である。
【図６】  本発明の他の実施形態に係るマグネットホルダーの背面図である。
【図７】  同マグネットホルダーの側面断面図である。
【図８】  同マグネットホルダーの他の実施例の側面断面図である。
【図９】  従来のマグネットホルダーの側面断面図である。
【図１０】  従来のマグネットホルダーでメモ用紙を取り外す際の力関係を表す図である。
【図１１】  従来のマグネットホルダーでメモ用紙を取り外す際の状態を表す図である。
【符号の説明】
【００３１】１      マグネットホルダー
２      前部カバー
３      後部カバー
４      マグネット
６      メモ用紙
７      壁面
１０    マグネットケース
１１    保持ピン
【図１】
2008080778.tif 000003
【図２】
2008080778.tif 000004
【図３】
2008080778.tif 000005
【図４】
2008080778.tif 000006
【図５】
2008080778.tif 000007
【図６】
2008080778.tif 000008
【図７】
2008080778.tif 000009
【図８】
2008080778.tif 000010
【図９】
2008080778.tif 000011
【図１０】
2008080778.tif 000012
【図１１】
2008080778.tif 000013